(57)【要約】【課題】本発明は、収納可能なコネクタ及びこのコネクタを備えた拡張ホルダーを提供することである。【解決手段】本発明に係るコネクタは台座に設置され、基部と、差し込み部材と、操作部材と、を備える。差し込み部材は、電子装置に差し込む接続用ポートを備え、基部の昇降部材は、支持部及び支持部に一定の角度で接続される昇降部を備え、操作部材は、外力の作用により２つの相反する第一方向及び第二方向に沿って往復移動し、基部を連動して第一位置と第二位置との間で往復スライドさせ、差し込み部材は、昇降部と支持部との間で往復移動し、差し込み部材が昇降部でスライドする場合、接続用ポートは、２つの相反する第三方向及び第四方向に沿って往復移動し、第三方向は、第一方向に直交し、差し込み部材が支持部までスライドした際、接続用ポートは、第一方向に直交する位置で不変的に維持される。【選択図】図３
2014003020.tif 000002
【特許請求の範囲】
【請求項１】
平面である底板を備える台座に設置され且つ電子装置に接続するためのコネクタであって、
基部と、前記基部にスライドして設置される差し込み部材と、前記基部に接続される操作部材と、を備え、前記差し込み部材は、前記電子装置に差し込む接続用ポートを備え、前記基部は昇降部材を備え、前記昇降部材は、支持部及び支持部に一定の角度で接続される昇降部を備え、前記操作部材は、外力の作用により前記台座に対して２つの相反する第一方向及び第二方向に沿って往復移動し、前記基部を連動して第一位置と第二位置との間で往復スライドさせ、前記差し込み部材は、前記基部の作用により前記昇降部と前記支持部との間で往復移動し、前記差し込み部材が前記昇降部でスライドする場合、前記接続用ポートは、前記台座に対して２つの相反する第三方向及び第四方向に沿って往復移動し、前記第三方向は前記第一方向に直交し、前記差し込み部材が前記支持部までスライドした際、前記接続用ポートは、前記第一方向に直交する位置で不変的に維持されることを特徴とするコネクタ。
【請求項２】
前記操作部材が前記基部に対して前記第一方向に沿って移動する時、前記基部は、前記台座に対して前記第一位置までスライドし、前記差し込み部材は前記支持部から前記昇降部に向かってスライドすることによって、前記接続用ポートを前記第三方向に沿って前記台座に近接する方向に向かって移動させることを特徴とする請求項１に記載のコネクタ。
【請求項３】
前記昇降部は、前記台座の底板に対して一定の角度で傾斜し、前記差し込み部材は、第一斜面に位置する時、前記台座に対して移動することを特徴とする請求項１又は２に記載のコネクタ。
【請求項４】
前記支持部は前記台座の底板に平行する平面であり、前記接続用ポートが前記台座の底板に対して移動する高さを決定し、且つ前記差し込み部材を前記基部に支持させることを特徴とする請求項１〜３のいずれか１項に記載のコネクタ。
【請求項５】
前記昇降部は、第一斜面に平行に、かつ対向して設置された第二斜面を備え、前記第一斜面及び前記第二斜面は離間して設置され、前記差し込み部材は、前記第一斜面と前記第二斜面との間にスライドして接続されるスライド部材を備えることを特徴とする請求項１〜４のいずれか１項に記載のコネクタ。
【請求項６】
前記昇降部材は係止部を備え、前記係止部は、前記第一斜面及び前記第二斜面の支持部から離間する一端の間に接続され、前記接続用ポートが前記台座の底板に対して移動する高さを決定することに用いられることを特徴とする請求項５に記載のコネクタ。
【請求項７】
前記操作部材はストリップ状部材を備え、前記ストリップ状部材は、第一部分と、前記第一部分に接続される第二部分と、前記第一部分に設置される固定部と、を備え、前記基部は前記固定部に接続され、前記第一部分は外力により前記台座に対して前記第一方向から前記第二方向まで往復移動し、前記第二部分は、回転することによって前記基部を連動して前記第一方向から前記第二方向まで往復移動することを特徴とする請求項１〜６のいずれか１項に記載のコネクタ。
【請求項８】
台座と、前記台座に可動に設置され且つ電子装置に差し込むための接続用ポートを備える請求項１〜７のいずれか一項に記載のコネクタと、を備えることを特徴とする拡張ホルダー。
【発明の詳細な説明】
【技術分野】
【０００１】
本発明は、コネクタ及びこのコネクタを備えた拡張ホルダーに関するものである。
【背景技術】
【０００２】
ノートパソコンに対する薄型軽量の要求を満たすために、外部接続ポート及びコネクタの数量を減らすことによってノートパソコンの構造を簡単にする。しかし、ノートパソコンの性能に影響しないように、ノートパソコンを拡張ホルダーを介して周辺機器に接続する必要がある。一般的に、この拡張ホルダーは、台座及び該台座に設置されるコネクタを備える。ノートパソコンの底部には、前記コネクタに接続するポートが設置されている。使用する時は、ノートパソコンを拡張ホルダーに設置した後、ポートと拡張ホルダーのコネクタとを電気的に接続させ、ノートパソコンの拡張機能を実現する。しかし、ノートパソコンを拡張ホルダーに設置するだけでノートパソコンと拡張ホルダーのコネクタと接続されるので、拡張機能を使用する必要がない場合でも、ノートパソコンの底部のポートは拡張ホルダーのコネクタに接続される。従って、長時間の操作を行う場合、ノートパソコンの底部のポートと拡張ホルダーのコネクタとの間に接触不良が発生する恐れがある。
【発明の概要】
【発明が解決しようとする課題】
【０００３】
本発明の目的は、前記課題を解決し、収納可能なコネクタ及びこのコネクタを備えた拡張ホルダーを提供することである。
【課題を解決するための手段】
【０００４】
本発明に係るコネクタは平面である底板を備える台座に設置され且つ電子装置に接続する。基部と、前記基部にスライドして設置される差し込み部材と、前記基部に接続される操作部材と、を備える。前記差し込み部材は、前記電子装置に差し込む接続用ポートを備える。前記基部は昇降部材を備え、前記昇降部材は、支持部及び支持部に一定の角度で接続される昇降部を備え、前記操作部材は、外力の作用により前記台座に対して２つの相反する第一方向及び第二方向に沿って往復移動し、前記基部を連動して第一位置と第二位置との間で往復スライドさせ、前記差し込み部材は、前記基部の作用により前記昇降部と前記支持部との間で往復移動し、前記差し込み部材が前記昇降部でスライドする場合、前記接続用ポートは、前記台座に対して２つの相反する第三方向及び第四方向に沿って往復移動し、前記第三方向は前記第一方向に直交し、前記差し込み部材が前記支持部までスライドした際、前記接続用ポートは、前記第一方向に直交する位置で不変的に維持される。
【０００５】
本発明に係る拡張ホルダーは、台座と、前記台座に可動に設置され且つ電子装置に差し込むための接続用ポートを備えるコネクタと、を備える。前記コネクタは、基部と、前記基部にスライドして設置される差し込み部材と、前記基部に接続される操作部材と、を備え、前記基部は昇降部材を備え、前記昇降部材は支持部及び前記支持部に一定の角度で接続される昇降部を備え、前記操作部材は、外力の作用により前記台座に対して２つの相反する第一方向及び第二方向に沿って往復移動し、前記基部を連動して第一位置と第二位置との間で往復スライドさせ、前記差し込み部材は、前記基部の作用により前記昇降部と前記支持部との間で往復移動し、前記差し込み部材が前記昇降部でスライドする場合、前記接続用ポートは、前記台座に対して２つの相反する第三方向及び第四方向に沿って往復移動し、前記第三方向は前記第一方向に直交し、前記差し込み部材が前記支持部までスライドした際、前記接続用ポートは、前記第一方向に直交する位置で不変的に維持される。
【発明の効果】
【０００６】
本発明のコネクタ及びこのコネクタを備えた拡張ホルダーにおいて、使用する際、必要に応じて接続用ポートを台座から突出させる又は接続用ポートを台座に収容することができる。
【図面の簡単な説明】
【０００７】
【図１】本発明の実施形態に係るコネクタを備えた拡張ホルダーの斜視図である。
【図２】図１に示すコネクタを備えた拡張ホルダーの部分分解図である。
【図３】図１に示すコネクタを備えた拡張ホルダーの別の視点からみた分解斜視図である。
【図４】図３に示すコネクタを備えた拡張ホルダーの基部の斜視図である。
【図５】図１に示すコネクタを備えた拡張ホルダーの第一使用状態を示す図である。
【図６】図１に示すコネクタを備えた拡張ホルダーの第二使用状態を示す図である。
【発明を実施するための形態】
【０００８】
以下、図面を参照して、本発明の実施形態について説明する。
【０００９】
図１及び図２を参照すると、拡張ホルダー１００は、自身に接続される電子装置（図示せず）の機能を拡張することに用いられ、台座１０及び該台座１０に可動に設置されるコネクタ３０を備える。台座１０は矩形を呈し、上殻体１１及び下殻体２１を備える。上殻体１１は下殻体２１上に設置されて収容空間２０を形成し、コネクタ３０は、この収容空間２０に可動に収容される。
【００１０】
上殻体１１は略直方体の中空構造であり、頂壁１１０と、頂壁１１０の周縁から下方に向かって延在して形成された第一側壁１２０、第二側壁１３０、第三側壁１４０及び第四側壁１５０を備える。第一側壁１２０、第二側壁１３０、第三側壁１４０及び第四側壁１５０は、順に接続されている。第一側壁１２０及び第三側壁１４０は互いに対向して位置し、且つ平行である。第二側壁１３０及び第四側壁１５０は互いに対向して位置し、且つ平行である。
【００１１】
頂壁１１０には、矩形の開口部１１１、凹部１１３、２つの位置決め部１１５及び２つの取付孔１１７が設けられている。開口部１１１は、第四側壁１５０に近接する一側に設置され、その長手方向は第四側壁１５０に平行である。また、開口部１１１は、収容空間２０と連通しており、コネクタ３０と組み合わせられる。凹部１１３は、第二側壁１３０に近接する一側に設置される。前記電子装置の底部には放熱部（図示せず）が設置されており、この電子装置が拡張ホルダー１００に設置される際、放熱部はこの凹部１１３に対応して位置し、且つ両者の間には一定の間隔が形成される。これにより、電子装置の放熱効率を高めることができる。２つの位置決め部１１５は、第二側壁１３０の長手方向に平行に、且つ凹部１１３の両側にそれぞれ設置される。本実施形態において、２つの位置決め部１１５は、第四側壁１５０に向かう一つの側面に案内斜面を有するバンプであり、この案内斜面によって、電子装置を容易に拡張ホルダー１００に設置することができる。
【００１２】
第一側壁１２０には収容溝１２１が設けられている。収容溝１２１は、ストリップ状を呈し、第一側壁１２０に平行な方向に沿って延在している。第二側壁１３０には、複数の貫通孔１３１が互いに間隔をあけて設置されている（図３を参照）。
【００１３】
図３を参照すると、下殻体２１は板状を呈し、下殻体２１における第二側壁１３０に近接する一側には、複数の機能ポート２１０が設置されている。複数の機能ポート２１０は、複数の貫通孔１３１に対応し、且つ貫通孔１３１を貫通して第二側壁１３０から露出する。前記電子装置は、複数の機能ポート２１０を介して対応する周辺機器に接続される。本実施形態において、機能ポート２１０は、４つのＵＳＢポート２１１と、２つの電話線／ネットワークポート２１２と、デジタル映像・音声入出力ポート（Ｈｉｇｈ  Ｄｅｆｉｎｉｔｉｏｎ  Ｍｕｌｔｉｍｅｄｉａ  Ｉｎｔｅｒｆａｃｅ、ＨＤＭＩ（登録商標））２１３と、ビデオグラフィックアレイ（Ｖｉｄｅｏ  Ｇｒａｐｈｉｃｓ  Ａｒｒａｙ、ＶＧＡ）表示ポート２１４と、を備える。下殻体２１の上殻体１１に対向する表面には、２つの案内部材２１５、２つの接地部材２１６（図５を参照）及び２つの円筒状の位置決めカムピン２１８が設置されている。２つの案内部材２１５は長方形の板状を呈し、第四側壁１５０に近接する一側に間隔をあけてそれぞれ設置され、コネクタ３０と組み合わせることに用いられる。各接地部材２１６の一端は、弾性部材２１７を介して下殻体２１における接地している導電部材に接続され、各接地部材２１６の他端は、取付孔１１７を貫通して上殻体１１から露出して電子装置に接続される。これにより、電子装置から発生した静電気は、接地部材２１６を介して接地箇所まで伝導させることができる。なお、前記導電部材は、下殻体２１上で導電することができる金属材料であり、例えば、金属シート、回路基板等である。
【００１４】
コネクタ３０は、固定部材３１と、操作部材４１と、操作部材４１に接続される基部５１と、差し込み部材６１と、を備える。固定部材３１は、ほぼ「Ｌ」字型の板状を呈し、上殻体１１の収容溝１２１に対応する位置に設置され、且つ第一固定部３１０及び第一固定部３１０に直交して延在している第二固定部３１２を備える。第一固定部３１０は、第一締結部材３１４を介して下殻体２１に固定される。第二固定部３１２は、第一固定部３１０の辺縁から下殻体２１から離間する方向に向かって垂直となるように延在して形成されている。上殻体１１が下殻体２１に設置される際、第二固定部３１２は、第一側壁１２０の収容溝１２１に収容され、操作部材４１を装着する又は支持することに用いられる。
【００１５】
操作部材４１は、ストリップ状部材４１０及びストリップ状部材４１０に接続された操作部４３０を備える。ストリップ状部材４１０は、下殻体２１の第一側壁１２０に近接する一端から下殻体２１の第三側壁１４０に近接する一端に向かって延在している。ストリップ状部材４１０は、第一部分４１１と、第一部分４１１の一端に一定の角度で接続された第二部分４１２と、固定部４１３と、を備える。第一部分４１１は、下殻体２１の第一側壁１２０に近接する一端に設置され、且つ外力の作用により第一側壁１２０に平行な方向に沿って往復スライドすることができる。第二部分４１２は、第二締結部材（図示せず）を介して下殻体２１の第三側壁１４０に近接する一端に接続され、且つ外力の作用により前記第二締結部材の回りで回転する。固定部４１３は第一部分４１１に設置され、第一部分４１１の第四側壁１５０に近接する辺縁から第一部分４１１から離間する方向に向かって延在して形成される。
【００１６】
操作部４３０は、第一部分４１１の第二部分４１２から離間する一端に接続され、第一アーム４３１と、第二アーム４３２と、接続部４３３と、突起４３４と、を備える。第一アーム４３１は、第二アーム４３２に対向して設置される。接続部４３３は、第一アーム４３１と第二アーム４３２との間に接続される。これにより、操作部４３０はほぼ「Ｕ」字型を呈する。なお、第一アーム４３１は、第一部分４１１における第二部分４１２の反対側の一端に接続される。突起４３４は、第二アーム４３２の第一アーム４３１に面する反対側の表面に設置され、ユーザーに対して容易な操作をもたらす。操作部４３０が固定部材３１に装着される場合、接続部４３３を固定部材３１に架け、第一アーム４３１と第二アーム４３２とをそれぞれ固定部材３１の両側に挟んだ後、突起４３４を収容溝１２１から突出させる。
【００１７】
図４を併せて参照すると、基部５１はほぼ矩形のフレームであり、操作部材４１に設置される。基部５１は、底板５１０と、第五側壁５１２と、第六側壁５１３と、４つの昇降部材５１５と、を備える。底板５１０には、締結孔５１１及び２つの位置決め孔５１６が設けられている。第三締結部材（図示せず）は、締結孔５１１を貫通して底板５１０と固定部４１３とを接続する。２つ位置決め孔５１６はほぼストリップ状を呈し、且つそれぞれ２つの位置決めカムピン２１８に対応して、基部５１のスライド軌道を制限することに用いられる。第五側壁５１２及び第六側壁５１３は、互いに平行に対向するように底板５１０の第四側壁１５０に直交する２つの側辺に設置される。第五側壁５１２及び第六側壁５１３における底板５１０に面する表面と反対側の表面には、案内部材２１５と組み合わせられるスライド溝５１４がそれぞれ設置されている。４つの昇降部材５１５の構造は同じであるが、その内２つの昇降部材５１５は、それぞれ互いに接続するように第五側壁５１２と第六側壁５１３の２つの対向する表面にそれぞれ設置される。
【００１８】
各昇降部材５１５は、支持部５１５０と、昇降部５１５２と、係止部５１５４と、を備える。支持部５１５０、昇降部５１５２及び係止部５１５４は矩形の板状であり、順に接続される。支持部５１５０は、底板５１０に平行に、且つ底板５１０から離間して設置されている。昇降部５１５２は、互いに平行に、且つ対向して設置された第一斜面５１５６及び第二斜面５１５８を備える。第一斜面５１５６及び第二斜面５１５８は、離間して設置される。第一斜面５１５６の一端は支持部５１５０に接続され、第一斜面５１５６の他端は底板５１０に接続される。第一斜面５１５６は、支持部５１５０から底板５１０に向かって一定の角度で傾斜する。なお、第一斜面５１５６は、第二斜面５１５８より底板５１０に近接して位置する。係止部５１５４は、第一斜面５１５６及び第二斜面５１５８の支持部５１５０から離間する一端の間に接続される。係止部５１５４と昇降部５１５２とはほぼ「Ｕ」字形を呈する。本実施形態において、昇降部５１５２は、底板５１０に対して係止部５１５４から支持部５１５０に向かって鋭角に下から上に向かって傾斜している。
【００１９】
差し込み部材６１は、基部５１にスライドして設置され、本体６１０と、接続用ポート６１２と、４つの円柱形のスライド部材６１４と、を備える。本体６１０の形状は、頂壁１１０の開口部１１１の形状と適合する。接続用ポート６１２は本体６１０に設置され、電子装置に差し込むことに用いられる。４つのスライド部材６１４の内の２つのスライド部材６１４は、本体６１０の第五側壁５１２に近接する一側に離間して設置され、且つ第五側壁５１２に形成された昇降部材５１５に対応する。４つのスライド部材６１４の他の２つのスライド部材６１４は、本体６１０の第六側壁５１３に近接する一側に離間して設置され、且つ第六側壁５１３に形成された昇降部材５１５に対応する。なお、スライド部材６１４の寸法は、対応する第二斜面５１５８と第一斜面５１５６との間のスロットの幅と適合する。
【００２０】
図５及び図６を併せて参照すると、組み立てる時、固定部材３１を下殻体２１に固定し、ストリップ状部材４１０の第二部分４１２を前記第二締結部材を介して下殻体２１の第三側壁１４０に近接する一側に回転可能に接続した後、操作部４３０を固定部材３１にスライドさせて挟む。この時、突起４３４は第一側壁１２０に面する。基部５１は、固定部４１３に接続され、２つの位置決め孔５１６を２つの位置決めカムピン２１８に貫通させる。差し込み部材６１の４つのスライド部材６１４は、昇降部材５１５の第二斜面５１５８と昇降部５１５２との間に一つ一つ対応するようにスライド可能に設置される。上殻体１１を下殻体２１に設置すると、開口部１１１は差し込み部材６１に対応し、収容溝１２１は操作部４３０に対応する。この時、操作部４３０は、収容溝１２１の第四側壁１５０に近接する一端に位置する。基部５１は、第四側壁１５０に近接する一端に位置する。この時、差し込み部材６１は、開口部１１１から露出し、４つのスライド部材６１４は、４つの支持部５１５０に一対一対対応して支持される。
【００２１】
基部５１は第二位置に位置し、操作部材４１は第四側壁１５０に近接する位置、つまり初期位置（図５を参照）に位置し、操作部材４１を第一方向（図６を参照）に沿って移動させ、且つ基部５１を連動して第二位置から第一位置までスライドさせることを例として、コネクタ３０の作動原理について説明する。ここで、前記第一方向とは、第一側壁１２０に平行であり、且つ第四側壁１５０から第二側壁１３０に向かう方向を指す。前記第一位置は、基部５１が第二側壁１３０に近接する一端に位置した位置を指す。前記第二位置は、基部５１が第四側壁１５０に近接する一端に位置した位置を指す。
【００２２】
使用する時に接続用ポート６１２を使用する必要がない場合、使用者は、操作部４３０に対して前記第一方向に沿って作用力を加え、操作部材４１を前記第二締結部材回りで回転させ、且つ基部５１を連動させる。これにより、基部５１は案内部材２１５によって案内されて、第一方向に沿って第二位置から第一位置までスライドする。基部５１が操作部材４１を介して下殻体２１に対して第二位置から第一位置まで移動する時、差し込み部材６１は、基部５１に対して昇降部５１５２に沿って高い一端から低い一端に向かって移動する。次いで、接続用ポート６１２を下殻体２１に近接する第三方向に向かって移動させる。ここで、第三方向とは、第一方向に直交する方向を指す。操作部４３０が収容溝１２１の第二側壁１３０に近接する一端まで移動する際、接続用ポート６１２は開口部１１１に収容され、４つのスライド部材６１４は、昇降部材５１５の係止部５１５４に一つ一つ対応して係止される。これにより、差し込み部材６１が脱落することを防止することができる。
【００２３】
接続用ポート６１２を使用する必要がある場合、使用者は、操作部４３０に対して第一方向に相反する第二方向に沿って作用力を加え、操作部材４１を第二締結部材回りで回転させ、且つ基部５１を連動させて、第二方向に沿って第四側壁１５０に近接する位置までスライドさせる。基部５１が操作部材４１を介して下殻体２１に対して第一位置から第二位置まで移動する時、差し込み部材６１は、基部５１に対して昇降部５１５２に沿って低い一端から高い一端に向かって移動する。次いで、接続用ポート６１２を下殻体２１から離間する第四方向に向かって移動させる。ここで、第四方向とは、第三方向に相反する方向を指す。操作部４３０が収容溝１２１の第四側壁１５０に近接する一端まで移動する際、接続用ポート６１２は開口部１１１から延出する。４つのスライド部材６１４は、支持部５１５０に一つ一つ対応して支持される。これにより、差し込み部材６１は基部５１に安定的に支持される。
【００２４】
本実施形態において、昇降部材５１５及びスライド部材６１４の数量と昇降部５１５２の傾斜方向及び角度は、必要に応じて設定することができる。
【００２５】
以上、本発明を実施形態に基づいて具体的に説明したが、本発明は、上述の実施形態に限定されるものではなく、その要旨を逸脱しない範囲において、種々の変更が可能であることは勿論であって、本発明の保護範囲は、以下の特許請求の範囲から決まる。
【符号の説明】
【００２６】
１０  台座
１１  上殻体
２０  収容空間
２１  下殻体
３０  コネクタ
３１  固定部材
４１  操作部材
５１  基部
６１  差し込み部材
１００  拡張ホルダー
１１０  頂壁
１１１  開口部
１１３  凹部
１１５  位置決め部
１１７  取付孔
１２０  第一側壁
１２１  収容溝
１３０  第二側壁
１３１  貫通孔
１４０  第三側壁
１５０  第四側壁
２１０  機能ポート
２１１  ＵＳＢポート
２１２  電話線／ネットワークポート
２１３  デジタル映像・音声入出力ポート
２１４  ビデオグラフィックアレイ表示ポート
２１５  案内部材
２１６  接地部材
２１８  位置決めカムピン
２１７  弾性部材
３１０  第一固定部
３１２  第二固定部
３１４  第一締結部材
４１０  ストリップ状部材
４１１  第一部分
４１２  第二部分
４１３  固定部
４３０  操作部
４３１  第一アーム
４３２  第二アーム
４３３  接続部
４３４  突起
５１０  底板
５１１  締結孔
５１２  第五側壁
５１３  第六側壁
５１４  スライド溝
５１５  昇降部材
５１６  位置決め孔
６１０  本体
６１２  接続用ポート
６１４  スライド部材
５１５０  支持部
５１５２  昇降部
５１５４  係止部
５１５６  第一斜面
５１５８  第二斜面
【図１】
2014003020.tif 000003
【図２】
2014003020.tif 000004
【図３】
2014003020.tif 000005
【図４】
2014003020.tif 000006
【図５】
2014003020.tif 000007
【図６】
2014003020.tif 000008